(57)【要約】【課題】近傍にモータや数千ボルトの高圧印可装置等の電磁気的なノイズ源が在るとき、無線によりＩＣメモリと通信を行う場合、通信エラーが発生する為、最悪値によりリトライ回数を設定していたが、結果時に通信時間が長くなり、早急な故障検知をすることができなかった。【解決手段】デジタル複写機２０は、ＣＰＵ１により制御され、ノイズ状況推定手段によりノイズ状況を推定し、通信エラー検知手段に基づき、予め決められた判定条件によりデータ通信の再送回数をノイズ状況推定手段の情報により増減させる。ＣＲＵＭ( Customer Replaceable Unit Memory )２１は、ユーザが自由に交換できる不揮発性メモリであるＥＥＰ−ＲＯＭ６を備えたモジュールであり、ＣＰＵ１はＥＥＰ−ＲＯＭ６を読み書きする。【選択図】図１
2005151154.tif 000002
【特許請求の範囲】
【請求項１】
電子的なイメージデータを印刷する上で必要な制御情報を記憶すると共に本体から着脱可能なＩＣメモリと、印刷の為に本体内部の機器を制御する制御器と、制御器と前記ＩＣメモリの間で情報を無線で送受信する無線通信手段と、を有する画像形成装置において、
前記ＩＣメモリとの無線通信で通信エラーを検知する通信エラー検知手段と、
前記画像形成装置の前記機器が作動することで、ノイズ発生源となる前記機器の作動状況を入手してノイズの発生状況を推定するノイズ状況推定手段と、
前記ノイズ状況推定手段によりノイズ状況を推定し、前記通信エラー検知手段に基づき予め決められた判定条件によりデータ通信の再送回数を前記ノイズ状況推定手段の情報により増減させる再送設定手段と、
を備えたことを特徴とする画像形成装置。
【請求項２】
電子的なイメージデータを印刷する上で必要な制御情報を記憶すると共に本体から着脱可能なＩＣメモリと、印刷の為に本体内部の機器を制御する制御器と、制御器と前記ＩＣメモリの間で情報を無線で送受信する無線通信手段と、を有する画像形成装置において、
前記ＩＣメモリとの無線通信で通信エラーを検知する通信エラー検知手段と、
前記画像形成装置の前記機器が作動することで、ノイズ発生源となる前記機器の作動状況を入手してノイズの発生状況を推定するノイズ状況推定手段と、
前記ノイズ状況推定手段によりノイズ状況を推定し、前記通信エラー検知手段に基づき予め決められた判定条件によりデータ通信の再送回数を前記ノイズ状況推定手段の情報により増減させる再送設定手段と、
前記通信エラー検知手段と、ノイズ状況推定手段と、前記再送設定手段とに基づき、少なくとも前記ＩＣメモリの記憶内容により故障を検知してエラー出力する故障検知手段と、
を備えたことを特徴とする画像形成装置。
【請求項３】
請求項２に記載の画像形成装置において、
前記故障検知手段は、
前記通信エラー検知手段から得られた通信エラー内容と、
前記ノイズ状況推定手段により前記画像形成装置内部のノイズ発生源となる前記機器の作動状況を入手すると共に、前記再送設定手段により増減された再送回数分の前記通信エラー内容に基づき、少なくともノイズ状況に関係しない通信エラーにより前記ＩＣメモリ及び通信機の故障を検知し、前記制御器によりエラー出力をすることを特徴とする画像形成装置。
【請求項４】
電子的なイメージデータを印刷する上で必要な制御情報を記憶すると共に本体から着脱可能なＩＣメモリと、印刷の為に本体内部の機器を制御する制御工程と、制御器と前記ＩＣメモリの間で情報を無線で送受信する無線通信工程と、を有する画像形成装置とＩＣメモリとの通信方法において、
前記ＩＣメモリとの無線通信で通信エラーを検知する通信エラー検知工程と、
前記画像形成装置の前記機器が作動することで、ノイズ発生源となる前記機器の作動状況を入手してノイズの発生状況を推定するノイズ状況推定工程と、
前記ノイズ状況推定工程によりノイズ状況を推定し、前記通信エラー検知工程に基づき予め決められた判定条件によりデータ通信の再送回数を前記ノイズ状況推定工程の情報により増減させる再送設定工程と、
を備えたことを特徴とする画像形成装置とＩＣメモリとの通信方法。
【請求項５】
電子的なイメージデータを印刷する上で必要な制御情報を記憶すると共に本体から着脱可能なＩＣメモリと、印刷の為に本体内部の機器を制御する制御工程と、制御器と前記ＩＣメモリの間で情報を無線で送受信する無線通信工程と、を有する画像形成装置とＩＣメモリとの通信方法において、
前記ＩＣメモリとの無線通信で通信エラーを検知する通信エラー検知工程と、
前記画像形成装置の前記機器が作動することで、ノイズ発生源となる前記機器の作動状況を入手してノイズの発生状況を推定するノイズ状況推定工程と、
前記ノイズ状況推定工程によりノイズ状況を推定し、前記通信エラー検知手段に基づき予め決められた判定条件によりデータ通信の再送回数を前記ノイズ状況推定手段の情報により増減させる再送設定工程と、
前記通信エラー検知工程と、ノイズ状況推定工程と、前記再送設定工程とに基づき、少なくとも前記ＩＣメモリの記憶内容により故障を検知してエラー出力する故障検知工程と、
を備え、
前記故障検知工程は、
前記通信エラー検知手段から得られた通信エラー内容と、前記ノイズ状況推定工程により前記画像形成装置内部のノイズ発生源となる前記機器の作動状況を入手すると共に、前記再送設定工程により増減された再送回数分の前記通信エラー内容に基づき、少なくともノイズ状況に関係しない通信エラーにより前記ＩＣメモリ及び通信機の故障を検知し、前記制御器によりエラー出力をすることを特徴とする画像形成装置とＩＣメモリとの通信方法。
【請求項６】
請求項５に記載の画像形成装置とＩＣメモリとの通信方法において、
前記ＩＣメモリと前記制御器の通信におけるデータの再送回数は、ノイズが発生しない場合では、予め決められた再送回数とし、
前記ノイズ状況推定工程により少なくとも１のノイズ発生源が作動している場合は、さらに再送回数を増やすことを特徴とする画像形成装置とＩＣメモリとの通信方法。
【請求項７】
請求項５に記載の画像形成装置とＩＣメモリとの通信方法において、
前記ＩＣメモリと前記制御器の通信におけるデータの再送回数は、ノイズが発生しない場合では、予め決められた再送回数とし、
前記ノイズ状況推定工程によりノイズ発生源が１だけ作動している時は、
再送回数をｎ（０を含む自然数）回増やし、
前記ノイズ状況推定工程によりノイズ発生源が２以上作動している時は、
再送回数をｎ＋１回増やし、
前記ノイズ状況推定工程によりノイズ発生源が全て作動している時は、
再送回数をｎ＋２回増やすことを特徴とする画像形成装置とＩＣメモリとの通信方法。
【請求項８】
請求項５に記載の画像形成装置とＩＣメモリとの通信方法において、
前記ＩＣメモリと前記制御器の通信におけるデータの再送回数は、ノイズが発生しない場合では、予め決められた再送回数とし、
前記ノイズ状況推定工程によりノイズ発生源毎に数値による重付けを設定し、作動しているノイズ源の合計による重付けの値を、ｍ（自然数）で割り、商により得られた値を前記再送回数に加算することを特徴とする画像形成装置とＩＣメモリとの通信方法。
【請求項９】
請求項５に記載の画像形成装置とＩＣメモリとの通信方法において更に、
前記制御器が前記機器を制御していない時に搬送波の振幅を取得しＩＣメモリからの出力振幅レベルより大きいノイズ発生状況を検知する無線ノイズ検出手段を備え、
前記ＩＣメモリと前記制御器の通信におけるデータの再送回数は、ノイズが発生しない場合では、予め決められた再送回数とし、
前記無線ノイズ検出手段は、前記制御器が前記機器を制御していない時に無線信号の搬送波の振幅を検知することでノイズ発生を検知した場合は、さらに再送回数を増やすことを特徴とする画像形成装置とＩＣメモリとの通信方法。
【発明の詳細な説明】
【技術分野】
【０００１】
本発明は、デジタル複写機又はプリンタ等の画像処理装置に着脱可能で、画像形成の為の動作情報を記録するユニットと通信する通信機において、ノイズ源が通信装置近傍にあり、該ノイズが発生する状況であっても通信が可能な画像形成装置に関する。
【背景技術】
【０００２】
従来からプリンタやスキャナ、或いは複写機などの画像処理装置に対して着脱可能なユニットが存在しており、この種のユニットの中にはメモリを備えたものも存在していた。例えば、電子写真画像形成プロセスを用いた電子写真プリンタにおいては、電子写真感光体に作用するプロセス手段、現像手段、クリーニング手段等を着脱可能なユニットとして一体的にカートリッジ化したプロセスカートリッジ方式が採用されている。このプロセスカートリッジ方式によれば、電子写真プリンタのメンテナンスをサービスマンによらず、ユーザ自身が行うことができるので、利便性を向上させることができる。現在このプロセスカートリッジ方式は、電子写真プリンタにおいて広く用いられている。
【０００３】
このような電子写真プリンタには、プロセスカートリッジの内部に通信可能な不揮発性メモリを設けたものがあり、不揮発性メモリには、ＩＤナンバー、製造メーカ名、再利用履歴及び回数などを記憶保持させている。
【０００４】
電子写真プリンタには、不揮発性メモリから画像形成動作に必要な情報を読み込む送受信部が設けられている。そして、プリント動作を開始するにあたり、予め不揮発性メモリ内に記憶保持されている上記の情報を、送受信部を介して読み込み、その情報を使用して電子写真プリンタの各部の制御を行いながらプリント動作を行う。
【０００５】
近年、プロセスカートリッジの端子における接触不良による不具合発生及び、プロセスカートリッジの不揮発性メモリの情報をプロセスカートリッジの端子から読み出し、不揮発性メモリの管理情報の書き換え及びプロセスカートリッジの偽造による不正使用が発生している。そこで、端子の無いプロセスカートリッジとするため、無線による通信方式を取り入れる動きがある。これらは、下記特許文献１に記載されているように不揮発性メモリを非接触メモリとし、プリント作動時に必要な非接触通信アンテナ及びこれらを制御する制御部から構成されている。
【０００６】
【特許文献１】特開２００２−３６６００８号公報
【発明の開示】
【発明が解決しようとする課題】
【０００７】
通信装置の近傍にモータや数千ボルトの高圧印可装置等の機械的、電磁気的なノイズを発生する電磁ノイズ源が在るとき、無線により不揮発メモリと通信を行う場合、通信信号にこれらの電磁ノイズが乗ってしまい、通信エラーを発生することがある。
【０００８】
従来、通信エラーが発生した場合、以下に示す３つの手段が用いられている。第１の手順は、ＣＲＣ等のエラー補正データ等の修復手段により修復する。第２の手段は、再度通信を試みる等のリトライを行う。第３の方法は、リトライが一定回数になれば復帰不可能と判断してエラーメッセージを表示して通信を停止する。以上のような手順により通信エラー等の異常検知を行ってきた。
【０００９】
しかし、可能な限り通信を維持する為には、通信エラーが発生してもリトライを繰り返す為、リトライ回数を多くする必要があるが、使用している不揮発性メモリの書込み速度が十数ｍｓとＣＰＵの処理速度に対して遅いため、逆に通信時間の短縮又は故障などの異常を素早く判定する為には、リトライ回数を少なくすることが望まれる。従来、通信時間を含めた時間を確保するために最悪値によりリトライ回数を設定していたため、結果時に通信時間が長くなり、早急な故障検知をすることができなかった。
【課題を解決するための手段】
【００１０】
上記目的を達成させるため、本発明では、電子的なイメージデータを印刷する上で必要な制御情報を記憶すると共に本体から着脱可能なＩＣメモリと、印刷の為に本体内部の機器を制御する制御器と、制御器と前記ＩＣメモリの間で情報を無線で送受信する無線通信手段と、を有する画像形成装置において、前記ＩＣメモリとの無線通信で通信エラーを検知する通信エラー検知手段と、前記画像形成装置の前記機器が作動することで、ノイズ発生源となる前記機器の作動状況を入手してノイズの発生状況を推定するノイズ状況推定手段と、前記ノイズ状況推定手段によりノイズ状況を推定し、前記通信エラー検知手段に基づき予め決められた判定条件によりデータ通信の再送回数を前記ノイズ状況推定手段の情報により増減させる再送設定手段と、を備えている。
【００１１】
さらに、本発明では、電子的なイメージデータを印刷する上で必要な制御情報を記憶すると共に本体から着脱可能なＩＣメモリと、印刷の為に本体内部の機器を制御する制御器と、制御器と前記ＩＣメモリの間で情報を無線で送受信する無線通信手段と、を有する画像形成装置において、制御器は、前記ＩＣメモリとの無線通信で通信エラーを検知する通信エラー検知手段と、前記画像形成装置の前記機器が作動することで、ノイズ発生源となる前記機器の作動状況を入手してノイズの発生状況を推定するノイズ状況推定手段と、前記ノイズ状況推定手段によりノイズ状況を推定し、前記通信エラー検知手段に基づき予め決められた判定条件によりデータ通信の再送回数を前記ノイズ状況推定手段の情報により増減させる再送設定手段と、前記通信エラー検知手段と、ノイズ状況推定手段と、前記再送設定手段とに基づき、少なくとも前記ＩＣメモリの記憶内容により故障を検知してエラー出力する故障検知手段と、を備えている。
【００１２】
また、本発明では、前記故障検知手段は、前記通信エラー検知手段から得られた通信エラー内容と、前記ノイズ状況推定手段により前記画像形成装置内部のノイズ発生源となる前記機器の作動状況を入手すると共に、前記再送設定手段により増減された再送回数分の前記通信エラー内容に基づき、少なくともノイズ状況に関係しない通信エラーにより前記ＩＣメモリ及び通信機の故障を検知し、前記制御器によりエラー出力をする。
【００１３】
さらに、本発明では、電子的なイメージデータを印刷する上で必要な制御情報を記憶すると共に本体から着脱可能なＩＣメモリと、印刷の為に本体内部の機器を制御する制御工程と、制御器と前記ＩＣメモリの間で情報を無線で送受信する無線通信工程と、を有する画像形成装置とＩＣメモリとの通信方法において、前記ＩＣメモリとの無線通信で通信エラーを検知する通信エラー検知工程と、前記画像形成装置の前記機器が作動することで、ノイズ発生源となる前記機器の作動状況を入手してノイズの発生状況を推定するノイズ状況推定工程と、前記ノイズ状況推定工程によりノイズ状況を推定し、前記通信エラー検知工程に基づき予め決められた判定条件によりデータ通信の再送回数を前記ノイズ状況推定工程の情報により増減させる再送設定工程とを備えている。
【００１４】
さらに、本発明では、電子的なイメージデータを印刷する上で必要な制御情報を記憶すると共に本体から着脱可能なＩＣメモリと、印刷の為に本体内部の機器を制御する制御工程と、制御器と前記ＩＣメモリの間で情報を無線で送受信する無線通信工程と、を有する画像形成装置とＩＣメモリとの通信方法において、前記ＩＣメモリとの無線通信で通信エラーを検知する通信エラー検知工程と、前記画像形成装置の前記機器が作動することで、ノイズ発生源となる前記機器の作動状況を入手してノイズの発生状況を推定するノイズ状況推定工程と、前記ノイズ状況推定工程によりノイズ状況を推定し、前記通信エラー検知手段に基づき予め決められた判定条件によりデータ通信の再送回数を前記ノイズ状況推定手段の情報により増減させる再送設定工程と、前記通信エラー検知工程と、ノイズ状況推定工程と、前記再送設定工程とに基づき、少なくとも前記ＩＣメモリの記憶内容により故障を検知してエラー出力する故障検知工程と、を備え、前記故障検知工程は、前記通信エラー検知手段から得られた通信エラー内容と、前記ノイズ状況推定工程により前記画像形成装置内部のノイズ発生源となる前記機器の作動状況を入手すると共に、前記再送設定工程により増減された再送回数分の前記通信エラー内容に基づき、少なくともノイズ状況に関係しない通信エラーにより前記ＩＣメモリ及び通信機の故障を検知し、前記制御器によりエラー出力をする。
【００１５】
また、本発明では、前記ＩＣメモリと前記制御器の通信におけるデータの再送回数は、ノイズが発生しない場合では、予め決められた再送回数とし、前記ノイズ状況推定工程により少なくとも１のノイズ発生源が作動している場合は、さらに再送回数を増やす。
【００１６】
また、本発明では、前記ＩＣメモリと前記制御器の通信におけるデータの再送回数は、ノイズが発生しない場合では、予め決められた再送回数とし、前記ノイズ状況推定工程によりノイズ発生源が１だけ作動している時は、再送回数をｎ（０を含む自然数）回増やし、前記ノイズ状況推定工程によりノイズ発生源が２以上作動している時は、再送回数をｎ＋１回増やし、前記ノイズ状況推定工程によりノイズ発生源が全て作動している時は、再送回数をｎ＋２回増やす。
【００１７】
また、本発明では、前記ＩＣメモリと前記制御器の通信におけるデータの再送回数は、ノイズが発生しない場合では、予め決められた再送回数とし、前記ノイズ状況推定工程によりノイズ発生源毎に数値による重付けを設定し、作動しているノイズ源の合計による重付けの値を、ｍ（自然数）で割り、商により得られた値を前記再送回数に加算する。
【００１８】
また、本発明では、さらに、前記制御器が前記機器を制御していない時に搬送波の振幅を取得しＩＣメモリからの出力振幅レベルより大きいノイズ発生状況を検知する無線ノイズ検出手段を備え、前記ＩＣメモリと前記制御器の通信におけるデータの再送回数は、ノイズが発生しない場合では、予め決められた再送回数とし、前記無線ノイズ検出手段は、前記制御器が前記機器を制御していない時に無線信号の搬送波の振幅を検知することでノイズ発生を検知した場合は、さらに再送回数を増やす。
【発明の効果】
【００１９】
本発明によれば、ノイズ発生源の監視により高ノイズ時に無用の故障検知を抑制することができると共に、低ノイズ時に早急な故障検知を行うことで、無用な再送処理による通信時間を抑制することができる。
【発明を実施するための最良の形態】
【００２０】
以下、本発明の実施の形態（以下実施形態という）を、図面に従って説明する。
【００２１】
１．全体構成
最初に全体構成について、図１と図２を用いて説明する。図１は、実施形態のシステム構成を示すブロック図であり、図２はデジタル複写システムの全体構成を示す図である。
【００２２】
図２において、デジタル複写システムは、コントローラ２２と、スキャナ２４、デジタル複写機２０及びソータ２３で構成され、ＰＣ２５とコントローラ２２はＬＡＮで接続され、スキャナ２４、デジタル複写機２０及びソータ２３はコントローラに接続されている。このデジタル複写システムは、通常の複写機として作動する他に、プリンタとしてＬＡＮ上のＰＣ２５からのプリントアウト要求をコントローラ２２が制御をしてデジタル複写機２０に印刷させることができる。
【００２３】
図１に示すようにデジタル複写機２０は、ＣＰＵ１により制御され、ＣＰＵ１はＲＯＭ／ＲＡＭ７、制御Ｉ／Ｏポート８、ＣＲＵＭ  Ｉ／Ｆ回路２、ＩＩＴ（Image Input Terminal）９ｂ、ＩＰＳ（Image Processing System）９ａ及びＩＯＴ（Image Output Terminal）９ｃと接続されている。ＣＲＵＭ( Customer Replaceable Unit Memory )は、ユーザが自由に交換できる不揮発性メモリであるＥＥＰ−ＲＯＭ６を備えたモジュールであり、デジタル複写機のプロセスカートリッジに内蔵されている。さらにＣＲＵＭ  Ｉ／Ｆ回路２は、アンテナ３ａに対して電源ラインとデータを送信する信号ラインによって接続されており、アンテナ３ｂからＣＲＵＭ２１に電磁波による電源供給と無線を介して情報の伝達が可能となっている。ＣＲＵＭ２１は、アンテナ３ｂから電源供給を受けると共に信号を送受信し、ＣＲＵＭ回路５によりＥＥＰ−ＲＯＭ６の書き込みと読み込みを行う。
【００２４】
さらにＣＰＵ１は、ＩＩＴ（Image Input Terminal）９ｂ、ＩＰＳ（Image Processing System）９ａ、ＩＯＴ（Image Output Terminal）９ｃ及び制御Ｉ／Ｏポート８を介して複数のユニットと接続されている。ＣＰＵ１から複数のユニットへの制御信号は、制御Ｉ／Ｏポート８を経由して光書き込みユニット４０、バイアス印加ロール（ＢＣＲ）１０、バイアス転移ロール（ＢＴＲ）１１、搬送モータ１（１２）及び給紙モータ２（１３）へ伝達される。
【００２５】
ＩＩＴ９ｂは図２のスキャナ２４のような複写対象の原稿を光学的に読み込んだ信号を処理するモジュールである。ＩＰＳ９ａは、ＩＩＴで獲得された原稿のイメージデータに対して色調補正やデータ圧縮などの処理を行うモジュールであり、ＩＰＳ９ａで圧縮されたイメージデータが、ＣＰＵ１の制御のもと、ＩＯＴ９ｃに供給され、ＩＯＴ９ｃは受け取ったイメージデータを図１に示す制御Ｉ／Ｏポート８を介して光書き込みユニット４０、バイアス印加ロール（ＢＣＲ）１０、バイアス転移ロール（ＢＴＲ）１１、搬送モータ１（１２）、給紙モータ２（１３）等のユニットにより用紙に画像を形成する。
【００２６】
図３は、実施形態のデジタル複写機の全体構成を示す図である。実施形態によるデジタル複写機２０のＣＰＵ１は、コントローラ２２に接続されて複写システムとして制御される。また、デジタル複写機２０は、装置本体に対し着脱可能にプロセスカートリッジ３０を装備しており、プロセスカートリッジ３０には不揮発性メモリを含むＣＲＵＭ２１を有している。また、デジタル複写機２０は、用紙１４が入ったカセット５２、給紙ロール１５、給紙ロール１５を駆動する給紙モータ２（１３）と、プロセスカートリッジ３０の感光ドラム３４、バイアス印加ロール（ＢＣＲ）１０、現像ロール３３、バイアス転移ロール（ＢＴＲ）１１と定着ロール３５及びその他のドラムを駆動する搬送モータ１（１２）と、印刷されて排出された用紙を載せるトレイ５３、光書き込みモジュール４０、ＣＲＵＭ  Ｉ／Ｆ回路２並びに、デジタル複写機の保守用ドア５１及びドアスイッチ５０がある。
【００２７】
図４は、実施形態のプロセスカートリッジ３０と光書き込みユニット４０の構成を示す図である。図４に示すプロセスカートリッジ３０は、感光ドラム３４、バイアス印加ロール（ＢＣＲ）１０、現像器３２からトナーを感光ドラム３４に塗布する現像ロール３３、用紙１４に対し電荷を転移させるバイアス転移ロール（ＢＴＲ）１１、クリーニング手段を備えた廃トナー回収用クリーナ３１と、感光ドラム３４の電荷をレーザ光により部分的に除去する為の光書き込みユニット４０がある。光書き込みユニット４０は、ポリゴンミラー４１によりレーザダイオード４５からのレーザ光を集光レンズ４２と分光レンズ４３を介してミラー４４に送り、ミラー４４を介して感光ドラム３４に導いている。また、プロセスカートリッジには、ＣＲＵＭ２１が内蔵され、アンテナ３ｂとＣＲＵＭ回路５、ＥＥＰ−ＲＯＭ６で構成されている。さらに、ＣＲＵＭ２１の近傍にはデジタル複写機２０のアンテナ３ａが配置されている。
【００２８】
次に、図３を参照して装置の動作概略を、図中矢印にて示す用紙１４の流れに従い説明する。カセット５２に収納されている用紙１４は、給紙モータ２（１３）で駆動される給紙ロール１５によって感光ドラム３４に向けて搬送される。搬送モータ１（１２）にて駆動される複数のユニット又はロールのうち感光ドラム３４は、時計方向に回転駆動され、その際、バイアス印加ロール（ＢＣＲ）１０によって、表面が帯電され、光書き込みユニット４０からレーザ光が照射されて感光ドラム３４上に静電潜像が形成される。この潜像は現像ロール３３を通る時トナーによって可視像化される。感光ドラム３４上の可視像は、バイアス転移ロール（ＢＴＲ）１１により感光ドラム３４へ搬送された用紙１４に転写され、その後定着ロール３５に搬送され、そこで用紙１４上の可視像は定着され、デジタル複写機２０の外部へ排出され、トレイ５３に収容される。
【００２９】
本実施形態のデジタル複写機２０のプロセスカートリッジ３０には、プロセスカートリッジ３０に内蔵される読み込み・書き込み可能なメモリを持つＩＣチップとＡＳＩＣで構成される基板と、基板上に設けられた電源を受電する為のアンテナと信号を送受信するアンテナが設けられている。この通信回線を用いて、プロセスカートリッジ３０に係わる各種のデータをＥＥＰ−ＲＯＭ６に記憶するようにしている。そのデータの中には、（１）印刷枚数、（２）プロセスカートリッジ３０の感光ドラム３４の累積回転数と時間、（３）トナーの供給モータの累積回転数、（４）感光ドラム３４の劣化状況を示す表面電位、（５）感光ドラム３４の摩耗による帯電電流又は電圧、（６）レーザ光量およびプロセスカートリッジの使用限界を管理する為のデータが含まれ、使用により変化するデータの読み込み・書き込みが随時行われる。ＥＥＰ−ＲＯＭに対する読み込み・書き込みの制御は本体側の制御を行うＣＰＵ１により行われるので、プロセスカートリッジの本体への装着時に、アンテナ３ａ，３ｂを介してＥＥＰ−ＲＯＭと本体側のＣＰＵが接続される。
【００３０】
図５は、プロセスカートリッジ３０内の不揮発性メモリを有するＣＲＵＭ２１とＣＲＵＭ  Ｉ／Ｆ回路２の詳細な構成を示す図である。図５に示すように、ＣＰＵ１はデジタル複写機２０の動作を司り、不揮発性メモリであるＥＥＰ−ＲＯＭ６のデータは、ＣＲＵＭ回路５の無線ＩＣ１７ｂを介して通信用のアンテナ３ｂとデジタル複写機２０のアンテナ３ａとは無線で接続し、アンテナ３ａと無線ＩＣとバッファＲＡＭ１８を経由してＣＰＵ１によって読み込み・書き込み可能となっている。さらに、デジタル複写機２０は電源ＩＣ（１６ａ、１６ｂ）と給電アンテナ（３ｃ，３ｄ）によりＣＲＵＭ２１に電力を供給し、ＣＲＵＭ２１の給電アンテナ３ｄは電源ＩＣ１６ｂに接続され、ＣＲＵＭ２１で必要な電力を伝えている。
【００３１】
本実施形態では、ＣＲＵＭ２１と本体側のＣＰＵ１との間にＣＲＵＭ  Ｉ／Ｆ回路２を配置し、ＣＲＵＭ２１の不揮発メモリであるＥＥＰ−ＲＯＭ６とはＩ2Ｃ（アイ・スクエア・シー）バスで接続されている。Ｉ2Ｃバスは、クロック線とデータ線を１本づつ使用してシリアル通信をする２線式シリアルバスであり、本実施形態においては無線ＩＣを使用して無線信号に変換している。
【００３２】
２．通信方式
本実施形態において、使用した無線通信方式は、受信搬送波周波数  約１３ＭＨｚ、ＡＳＫ変調、調歩同期方式であり、返信搬送波周波数  約９００ｋＨｚサブキャリアシステム、ＰＳＫ変調、調歩同期方式を使用した。しかし、プロセスカートリッジ３０の近傍で、数千ボルトの高電圧のチャージ及びバイアスチャージを使用していることと、搬送モータ１（１２）及び給紙モータ２（１３）のＰＷＭ制御で発生する周波数ノイズの高調波成分により搬送波上の信号が復調できず、通信エラーが発生する。
【００３３】
また、ＥＥＰ−ＲＯＭ６の書き込み時間が８バイト当たり約１０ｍｓ程度程度必要であり、デジタル複写機が１分間に５０枚印刷すると１枚当たり１２００ｍｓ以内で通信を完了する為には、最大で１２００×８バイト／１０ｍｓ＝９６０バイトの書き込みが可能になる。平均的な書き込みバイト数は約１００バイトなので、書き込みという時間がかかる処理での通信エラーによるリトライを最大９回行うことが可能である。
【００３４】
図５を参照して、データ通信の流れを示す。ＣＰＵ１はバッファＲＡＭ１８と、無線ＩＣ１７ａに接続されている。ＣＰＵ１からＣＲＵＭ  ＩＦ回路２へデータ読み込み要求が来ると、電源ＩＣ１６ａと接続されている給電アンテナ３ｃから電磁波を出力し、ＣＲＵＭ２１の給電アンテナ３ｄと接続されている電源ＩＣ１６ｂが作動し、ＣＲＵＭ２１に電源を供給し、ＣＲＵＭ２１が起動する。その後、バッファＲＡＭ１８への読み込み要求をバッファＲＡＭ１８に接続されている無線ＩＣ１７ａがＩ2Ｃプロトコルに無線変調をかけて搬送波の上に読み込み要求をのせて送信する。ＣＲＵＭ２１のアンテナ３ｂは無線信号を無線ＩＣへ伝え、無線ＩＣ１７ｂは、搬送波の上にある情報を復調し、ＥＥＰ―ＲＯＭ６の情報の読み込み要求を実行し、データをＩ2Ｃのプロトコルで無線変調をかけてＣＲＵＭ  Ｉ／Ｆ回路２に送信し、アンテナ３ａからの無線信号を無線ＩＣ１７ａで復調しバッファＲＡＭ１８へ書き込み、ＣＰＵ１へデータを送出して、ＣＰＵ１がＥＥＰ−ＲＯＭ６のデータを得る。
【００３５】
３．稼働時の状態例
（１）  起動時・ドアオープン時
次に、プロセスカートリッジの使用限界管理に係る実施例を示す。本実施形態は、使用限界印刷枚数を管理項目として示した使用限界枚数にＣＲＵＭの印刷枚数の累積値が達した時にユーザに通知する処理を行うものである。図６は、プロセスカートリッジ内のＣＲＵＭ２１に記録されている印刷枚数を呼出す処理に必要なドア開閉検知処理に関するフローチャートである。プロセスカートリッジはユーザにより着脱することが可能なので、着脱を知る方法として、デジタル複写機のドア開閉処理により起動を行う。
【００３６】
図３に示しているドア５１の開閉をドアスイッチ５０でＣＰＵ１は検知することができる。ステップＳ１において本体の電源が入っているかを確認し、もし、入っていなければ、先に進まない。ここで、電源がＯＮであれば、ステップＳ２に進み、ドアスイッチ５０でドアが開いていると検知したなら、ドアが閉まるまで待ち、もし、ドアが閉まっていればステップＳ３にてプロセスカートリッジに給電をしてプロセスカートリッジ３０が有るか調べる。
【００３７】
給電にてプロセスカートリッジ３０が有ると検知したら、ステップＳ４において決められた通信プロトコルで通信を開始し、正常に通信出来るかどうかを調べる。もし、通信に係る時間を測定し、ＥＥＰ−ＲＯＭ６が必ず応答する時間（約２０ｍｓ）経過後に応答が無い場合又は通信が成り立たない場合は、ステップＳ６にて５回より多くのエラーが連続して発生した場合は、故障検知を行い、エラー表示を行う。ここで、通信が成り立てば、起動処理であるプロセスカートリッジから印刷枚数を呼びだし、使用限界枚数を超えているかの判断をする。
【００３８】
（２）  読み書き処理時
次に、前述した、プロセスカートリッジ３０から印刷枚数を呼びだした後に、１枚印刷をして印刷枚数をインクリメントして印刷枚数の書き込み処理を行う流れを示す。図７は、印字タスクがプロセスカートリッジ内のＣＲＵＭ２１に対してデータの読み込みと書き込みの処理に関するメッセージの流れを示す例示図である。
【００３９】
左からＣＰＵ１での印字タスク、ＣＲＵＭ  Ｉ／Ｆタスクにおける処理及びＣＲＵＭタスクでの処理を示す。ステップＳ１１は、ＣＰＵ１においてＣＲＵＭタスクのデータを参照する為の“接続要求”をＣＲＵＭ  Ｉ／Ｆタスクに対してメッセージを送ると、ＣＲＵＭ  Ｉ／ＦタスクはステップＳ１２においてＣＲＵＭタスクに対し“給電開始”を送信してプロセスカートリッジの有無、通信が成り立つかを調べ、ステップＳ１３においてＣＲＵＭタスクからの“作動ＯＫ“信号を印字タスクへ送信する。
【００４０】
印字タスクではステップ１４において印刷累積値の“読み込み要求１”をＣＲＵＭタスクに送信する。ＣＲＵＭ２１のＥＥＰ−ＲＯＭ６の読み出し速度は、通常のＲＯＭと同じ速度なのですぐに“データ１”がステップＳ１５で印字タスクに戻る。その後、印字タスクにより１枚印刷を終えると、ステップＳ１６において印刷累積値に１加えた値“データ２”をＣＲＵＭ  Ｉ／Ｆタスクに送信する。ここで、ＥＥＰ−ＲＯＭ６は書き込み速度が約１０ｍｓ程度かかるので、印字タスクにデータが取得できた時に割り込みをかける処理を行い、ステップＳ１７において、ＣＲＵＭタスクにデータ２を書き込む。
【００４１】
書き込み中にステップＳ１８において印字タスクより別の読出し要求が来た場合は、“読出し要求３”をＣＲＵＭ  Ｉ／ＦタスクがステップＳ１９ａ〜１９ｅまでの代行をしてＣＲＵＭ２１の書き込み処理が終了後にステップＳ２０において“データ３”を印字タスクに送信する。このような処理を繰り返し、印字タスクが処理を終了すると、ステップＳ２２においてＣＲＵＭ  Ｉ／Ｆタスクに対して“接断要求”が送信され、ステップＳ２３において、ＣＲＵＭ  Ｉ／ＦタスクはＣＲＵＭタスクへの“給電終了”を送信し、一連の処理が完了する。
【００４２】
（３）  ノイズによるエラー発生時
図８は、電磁ノイズ発生時において、印字タスクがプロセスカートリッジ内の不揮発性メモリをアクセスするＣＲＵＭタスクに対して行うデータの読み込み処理に関するメッセージの流れを示す例示図である。読み込み処理は、通常３回の再送を行い、ＣＲＣエラーが発生していない正常なデータを使用している。
【００４３】
本実施形態では、無線によるデータ転送を行っている為、デジタル複写機内部のノイズ源によりノイズが発生する。ＣＰＵ１は、光書き込みユニット４０、バイアス印加ロール（ＢＣＲ）１０、バイアス転移ロール（ＢＴＲ）１１、搬送モータ１（１２）、給紙モータ２（１３）等のユニットを制御しているので、これらのユニットが全て作動させた場合が電磁ノイズや機械的なノイズが大きくなる。このような場合は、図８に示すようにリトライ回数を通常の３回から５回に変更してデータの読み出しを行う。
【００４４】
次に、図８に示すように電磁ノイズ発生時にリトライを５回まで増やして読み込みを行う処理について説明する。メッセージを送受信する各タスクは、図８の左から印字タスク、ＣＲＵＭＩ／Ｆタスク及びＣＲＵＭタスクである。印字タスクからステップＳ３０においてＣＲＵＭタスクへの“接続要求”がＣＲＵＭ  Ｉ／Ｆタスクへ送られ、ステップＳ３１にてＣＲＵＭタスクに対して“給電開始”が送信され、ＣＲＵＭタスクが起動する。ステップＳ３２において、ＣＲＵＭタスクから“作動ＯＫ”メッセージが印字タスクに送られる。
【００４５】
ステップＳ３３において、印字タスクからＣＲＵＭ２１のＩＤ情報の“読み込み要求１（１）”がＣＲＵＭタスクに対して発せられる。前述したように読み込み処理では、ＣＲＵＭ２１のＥＥＰ−ＲＯＭ６は通常のＲＯＭと変わらない読み出し速度で処理が行われるので、ＣＲＵＭ  Ｉ／Ｆタスクを経由することはない。ここで、括弧内はリトライ回数を示す。
【００４６】
１回目の読み込み要求に対して“データ（１）”がステップＳ３４にて印字タスクに送られ、ＣＲＣ通信エラーが無いことを確認する。次に、２回目の“読み込み要求１（２）”がステップＳ３５で発せられ、ステップＳ３６にてＣＲＵＭタスクから“データ１（２）”が印字タスクに送られるが、ここで電磁ノイズが発生し、図中のＣＲＵＭデータに斜線で示すように“データ１（２）”の内容が破壊され、ＣＲＣエラーが発生する。次に、３回目の“読み込み要求１（３）”がステップＳ３７で発せられ、ステップＳ３８にてＣＲＵＭタスクから“データ１（３）”が印字タスクに送られＣＲＣエラーが無いことが確認される。次に、４回目の“読み込み要求１（４）”がステップＳ３９で発せられ、ステップＳ４０にてＣＲＵＭタスクから“データ１（４）”が印字タスクに送られるが、再度電磁ノイズによりＣＲＣエラーが発生し、図中のＣＲＵＭデータに斜線で示すように“データ１（４）”の内容が破壊されてしまう。最後に、５回目の“読み込み要求１（５）”がステップＳ４１で発せられ、ステップＳ４２にてＣＲＵＭタスクから“データ１（５）”が印字タスクに送られる。このようにして、電磁ノイズによって破壊されたデータ２個は廃棄し、正常なデータ３個によるデータ値の多数決で正常なデータ値を選ぶことができる。
【００４７】
４．故障検知方法
図９は、ＣＰＵがＣＲＵＭ２１の不揮発性メモリと通信回線の故障を検知する処理を示すフローチャートである。故障の検知は、ノイズが発生していないにもかかわらず、５回のＣＲＣエラーが連続して発生する時は、不揮発性メモリ又は通信回路の故障と判断するものである。以下、図９について説明する。ステップＳ５０において、ＣＰＵ１がノイズ源となる機器の稼働状況により１つでも稼働している場合は、ノイズ発生としてステップＳ５７で示される通常処理を行う。この通常処理は、ノイズ発生源に応じたリトライ処理を行うものである。
【００４８】
次に、ステップＳ５１においてリトライを３回行い、ＣＲＣエラー検知によるエラー検出を行う。ステップＳ５１において、３回ともエラーでなければ正常と判断して、ステップＳ５６の正常処理で、ステータスをセットして通常処理に戻る。ステップＳ５２において、３回ともＣＲＣエラーが発生した場合は、ステップＳ５３に移り、更にリトライを２回行う。ステップＳ５４ではリトライにより得られた２回ともＣＲＣエラーが発生しているかを判断し、２回ともＣＲＣエラーであれば、故障発生と判断し、ステップＳ５５に移り、ステータスをセットして故障検知の処理を終了する。この後、ＣＰＵ１は図示しないエラー表示処理を行い、操作者に対して不揮発性メモリ又は通信回路の故障を通知する。
【００４９】
次に、リトライを複数回実施する具体的な方法を説明する。図１０は、電磁ノイズ発生時において、印字タスクがプロセスカートリッジ内のＣＲＵＭ２１に対して行うデータの書き込み及び読み込み処理に関するメッセージの流れを示す例示図である。図１０の左からメッセージを送受信する各タスクは、印字タスク、ＣＲＵＭ  Ｉ／Ｆタスク及びＣＲＵＭタスクである。
【００５０】
通信において、起動及び停止、書き込み及び読出しの３種類のモードがある。図１０のステップＳ６０からＳ６２は、起動モードである。同様に、ステップＳ６３からＳ６９は書き込みモードであり、ステップＳ７０からＳ７１は読み出しモードである。以下各モードについての繰り返し処理を説明する。
【００５１】
(i)起動及び停止
ステップＳ６０において、印字タスクからの“接続要求”がＣＲＵＭ  Ｉ／Ｆタスクに送られ、ステップＳ６１においてＣＲＵＭタスクに対して“給電開始”が送信される。ＣＲＵＭタスクが起動すると、ステップＳ６２において、ＣＲＵＭタスクから“作動ＯＫ”メッセージが送られる。
【００５２】
(ii)書き込み処理
ステップＳ６３のように情報の書き込みがＣＲＵＭタスクに行われる約１０ｍｓ間は応答しないため、ＣＲＵＭ  Ｉ／Ｆタスクが印字タスクからの要求を受け取り（ステップＳ６５）、ＣＲＵＭタスクに定期的にアクセスして（ステップＳ６６ａ〜ステップＳ６６ｄ）ＣＲＵＭタスクからの応答を待ち、ＣＲＵＭからの読み込みデータをステップＳ６８にてＣＲＵＭ  Ｉ／Ｆタスクに送り、印字タスクへ“データ３（１）”をステップＳ６９にて送る。
【００５３】
このように書き込み処理ではステップＳ６３、ステップＳ６４で行われるが、約１０ｍｓの応答遅れが在るためＣＲＵＭ  Ｉ／Ｆタスクによる代理処理が発生する。なお、書き込み処理は点線で示す書き込み処理であるステップ７２を繰り返すことになる。
【００５４】
(iii)読み込み処理
また、読み込み処理はステップＳ７０、ステップＳ７１のように印字タスクからＣＲＵＭタスクへの読み込み要求を送り、ＣＲＵＭタスクはデータを印字タスクに送る。読み込み処理は点線に示す読み込み処理であるステップＳ７３を繰り返すことになる。
【００５５】
５．ノイズ源の作動状況による通信処理
【実施例１】
【００５６】
（１）ノイズ源の作動又は停止検知による通信処理
第１の実施形態について説明する。この制御方法は、ノイズ源として、バイアス印加ロール（ＢＣＲ）１０、バイアス移転ロール（ＢＴＲ）１１、搬送モータ１（１２）、給紙モータ２（１３）と定め、ＣＰＵ１が制御を行い、駆動中のものをノイズ源として認知し、ＣＰＵ１とＣＲＵＭ２１が通信を行う時、前述のノイズ発生源が稼働していない場合は、故障検知処理を行う。これにより、高ノイズ時に無用の故障検知を抑制することができ、低ノイズ時に早急な故障検知を行うことで、通信最悪時間を抑制することができる。
【００５７】
図１１は、第１の実施形態におけるノイズ発生検知の処理の流れを示すフローチャートである。ステップＳ８０において、搬送モータ１（１２）が稼働しているか判断し、稼働していればステップＳ８５にてリトライ回数を５回に設定する。また、稼働していない時は（Ｎｏ）は次のステップに進む。ステップＳ８１において給紙モータ２（１３）が稼働しているか判断し、稼働していればステップＳ８５にてリトライ回数を５回に設定する。また、稼働していない時は（Ｎｏ）は次のステップに進む。ステップＳ８２においてバイアス印加ロール（ＢＣＲ）１０が稼働しているか判断し、稼働していればステップＳ８５にてリトライ回数を５回に設定する。また、稼働していない時は（Ｎｏ）は次のステップに進む。ステップＳ８３においてバイアス移転ロール（ＢＴＲ）１１が稼働しているか判断し、稼働していればステップＳ８５にてリトライ回数を５回に設定する。もし、ノイズ発生源と定めたユニットが１つも作動をしていないときは、ノイズによるエラーが発生する頻度は低いと判定してステップＳ８４のリトライ回数を３回に設定する。
【実施例２】
【００５８】
（２）ノイズ源の作動数検知による通信処理
第１の実施形態において、複数個のノイズ発生源がある場合、それらの稼働中の個数により通信トライ回数を変化させる第２の実施形態について説明する。図１２は、第２の実施形態におけるノイズ発生検知の処理の流れを示すフローチャートである。例えば、ノイズ源停止中はリトライ回数を３回と規定し、ノイズ源が１つだけ稼働しているときは“リトライ回数＋０“、ノイズ源が２つ以上稼働しているときは”リトライ回数＋１“、さらに全ノイズ源が稼働しているときは”リトライ回数＋２“のように、稼働中のノイズ源の個数により、より精密に第１の実施形態の故障検知を行うことができる。
【００５９】
図１２を参照して説明する。最初にステップＳ９０において、リトライ回数を３回と設定し、ステップＳ９１において、ノイズカウンタ（ノイズＣＮ）を”０“にする。その後、ステップＳ９２において、搬送モータ１が稼働しているかを判断し、もし稼働していれば、ステップＳ９３において、ノイズＣＮに１を加えてカウントアップする。また、稼働していない時は（Ｎｏ）は次のステップに進む。ステップＳ９４において、給紙モータ２が稼働しているかを判断し、もし稼働していれば、ステップＳ９５において、ノイズＣＮを同様にカウントアップする。また、稼働していない時は（Ｎｏ）は次のステップに進む。その後、ステップＳ９６において、バイアス印加ロール（ＢＳＲ）１０が高電圧を発生しているかを判断し、もし稼働していれば、ステップＳ９７において、ノイズＣＮを同様にカウントアップする。また、稼働していない時は（Ｎｏ）は次のステップに進む。さらに、ステップＳ９８において、バイアス転写ロール（ＢＴＲ）１１が同様に高電圧を発生しているかを判断し、もし稼働していれば、ステップＳ９９において、ノイズＣＮを同様にカウントアップする。また、稼働していない時は（Ｎｏ）は次のステップに進む。
【００６０】
次に、ステップＳ９２からステップＳ９９で検出したノイズ源の判断処理を説明する。ステップＳ１００において、カウントしたノイズＣＮによりリトライ数を決定する為にノイズＣＮが１以下の場合はリトライ回数の増分はなく、ステップＳ１０１において、リトライ回数＝３回となる。さらに、ステップＳ１０２において、ノイズＣＮが２以上の場合は、ステップＳ１０３において、リトライ回数に１を加えるとリトライ回数＝４回となる。さらに、ステップＳ１０４において、ノイズＣＮが全てのノイズ発生源が稼働中と判定すると、ステップＳ１０５において、リトライ回数に２を加えてリトライ回数を最大で５回とする。
【実施例３】
【００６１】
（３）ノイズ源毎の重み付けによる通信処理
第１の実施形態において、複数個のノイズ源がある場合、それら１つ１つについて重み付けを行い重み付けの合計値により、通信トライ回数を変化させる実施形態を説明する。
【００６２】
図１３は、第３の実施形態におけるノイズ発生検知の処理の流れを示すフローチャートである。最初にステップＳ１１０でリトライ回数を３回にセットする。その後ノイズウエイト（ノイズＷＴ）をステップＳ１１１にて“０”にセットする。もし、搬送モータ１の稼働をステップＳ１１２にて判断し、稼働していればステップＳ１１３にてノイズＷＴに３点を加える。また、稼働していない時は（Ｎｏ）は次のステップに進む。
【００６３】
給紙モータ２の稼働をステップＳ１１４にて判断し、稼働してればステップＳ１１５にてノイズＷＴに２点を加える。また、稼働していない時は（Ｎｏ）は次のステップに進む。ステップＳ１１６でバイアス印加ロール（ＢＣＲ）に高電圧が印加されていると判断すると、ステップＳ１１７にてノイズＷＴに１を加える。さらに、ステップＳ１１７でバイアス転移ロール（ＢＴＲ）に高電圧が印加されていると判断すると、ステップＳ１１９にてノイズＷＴに２点を加える。また、稼働していない時は（Ｎｏ）は次のステップに進む。
【００６４】
ステップＳ１２０において、式、“リトライ＝リトライ＋（ノイズＷＴ  ＤＩＶ  ４）”は、４点毎に繰り返し回数を１回増加させて通信トライ回数を変化させる。（ＤＩＶは商を求める関数。）例えば、“搬送モータ１＝３点”、“給紙モータ２＝２点”、“ＢＣＲ＝１点”、“ＢＴＲ＝２点”のように最大で８点となり、前述のように４点毎に繰り返し回数を１回づつ増加させて最初に戻る。この処理により精密に、故障検知を行うことができる。
【実施例４】
【００６５】
（４）ノイズ源の個数と重み付けによる通信方法
第１の実施形態において、特に通信対象との通信経路のうち少なくとも１つが無線であるとき、特に無線通信である個数にのみ第１の実施形態から第３の実施形態のリトライ手順を実施することも可能であるし、有線回線においても同様の処理により第１の実施形態の故障検知を行うことも好適に処理できる。
【実施例５】
【００６６】
（５）直接法によるノイズ発生状況の検知
第１の実施形態において、特に画像形成装置を制御する制御手段（ＣＰＵ）にノイズ源を直接制御していないとき、無線ＩＣの搬送レベルが電磁波ノイズにより変動する現象を用いてノイズ発生源のノイズ発生状況を検知し、該検知手段により、画像形成装置を制御する制御手段（ＣＰＵ）がノイズ源を制御していなくても第１の実施形態の効果を達成することも好適に実施できる。
【図面の簡単な説明】
【００６７】
【図１】実施形態のシステム構成を示すブロック図である。
【図２】デジタル複写システムの全体構成を示す図である。
【図３】実施形態のデジタル複写機の全体構成を示す図である。
【図４】実施形態のプロセスカートリッジと光書き込みユニットの構成を示す図である。
【図５】プロセスカートリッジ内の不揮発性メモリを有するＣＲＵＭとＣＲＵＭ  Ｉ／Ｆ回路の詳細な構成を示す図である。
【図６】プロセスカートリッジ内の不揮発性メモリを有するＣＲＵＭに記録されている印刷枚数を呼出す処理に必要なドア開閉検知処理に関するフローチャートである。
【図７】印字タスクがプロセスカートリッジ内の不揮発性メモリを有するＣＲＵＭに対してデータの読み込みと書き込みの処理に関するメッセージの流れを示す例示図である。
【図８】電磁ノイズ発生時において、印字タスクがプロセスカートリッジ内の不揮発性メモリをアクセスするＣＲＵＭタスクに対して行うデータの読み込み処理に関するメッセージの流れを示す例示図である。
【図９】ＣＰＵが不揮発性メモリを有するＣＲＵＭの故障を検知する処理を示すフローチャートである。
【図１０】電磁ノイズ発生時において、印字タスクがプロセスカートリッジ内のＣＲＵＭに対して行うデータの書き込み及び読み込み処理に関するメッセージの流れを示す例示図である。
【図１１】第１の実施形態におけるノイズ発生検知の処理の流れを示すフローチャートである。
【図１２】第２の実施形態におけるノイズ発生検知の処理の流れを示すフローチャートである。
【図１３】第３の実施形態におけるノイズ発生検知の処理の流れを示すフローチャートである。
【符号の説明】
【００６８】
１  ＣＰＵ、２  ＣＲＵＭ  Ｉ／Ｆ  回路、３  アンテナ、５  ＣＲＵＭ回路、６  ＥＥＰ−ＲＯＭ、７  ＲＯＭ／ＲＡＭ、８  制御Ｉ／Ｏポート、９ａ  ＩＰＳ、９ｂ  ＩＩＴ、９ｃ  ＩＯＴ、１０  バイアス印加ロール（ＢＣＲ）、１１  バイアス転移ロール（ＢＴＲ）、１２  搬送モータ１、１３  給紙モータ２、１４  用紙、１５  給紙ロール、１６  電源ＩＣ、１７  無線ＩＣ、１８  バッファＲＡＭ、２０  デジタル複写機、２１  ＣＲＵＭ、２２  コントローラ、２３  ソータ、２４  スキャナ、２５  ＰＣ、３０  プロセスカートリッジ、３１  クリーナ、３２  現像器、３３  現像ロール、３４  感光ドラム、４０  光書き込みユニット、４１  ポリゴンミラー、４２  集光レンズ、４３  分光レンズ、４４  ミラー、４５  レーザダイオード、５０  ドアスイッチ、５１  ドア、５２  カセット、５３  トレイ。
【図１】
2005151154.tif 000003
【図２】
2005151154.tif 000004
【図３】
2005151154.tif 000005
【図４】
2005151154.tif 000006
【図５】
2005151154.tif 000007
【図６】
2005151154.tif 000008
【図７】
2005151154.tif 000009
【図８】
2005151154.tif 000010
【図９】
2005151154.tif 000011
【図１０】
2005151154.tif 000012
【図１１】
2005151154.tif 000013
【図１２】
2005151154.tif 000014
【図１３】
2005151154.tif 000015